(57)【特許請求の範囲】
【請求項１】
筐体と、
前記筐体の外部から内部に紙葉類を投入するための紙葉類投入部と、
前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、
を備え、
前記紙葉類投入部には、１または複数の前記紙葉類が積層状態で投入される紙葉類投入領域が設けられており、
前記金属異物検知部の前記励磁コイルは、前記紙葉類投入部の前記紙葉類投入領域を区画する、紙葉類が載置される載置部の底面に直交する側面の周囲を巻くことにより、前記紙葉類投入領域の周囲を巻くように配置されている、紙葉類処理装置。
【請求項２】
前記紙葉類投入部には、当該紙葉類投入部に投入された前記紙葉類を前記筐体の内部に１枚ずつ繰り出す繰出機構が設けられており、
前記金属異物検知部の前記検知コイルは、前記紙葉類投入部における前記紙幣投入領域を区画する前記側面のうち、前記繰出機構が設置された前壁と、前記前壁と対向する後壁に設けられている、請求項１記載の紙葉類処理装置。
【請求項３】
前記紙葉類投入部には、１または複数の前記紙葉類が立位状態で載置される載置部が設けられており、
前記金属異物検知部の前記検知コイルは、前記載置部に立位状態で載置される前記紙葉類の高さ方向において少なくとも１つ配置されている、請求項１または２記載の紙葉類処理装置。
【請求項４】
前記金属異物検知部の前記検知コイルは、前記載置部に立位状態で載置される前記紙葉類の幅方向において少なくとも１つ配置されている、請求項３記載の紙葉類処理装置。
【請求項５】
前記金属異物検知部の前記検知コイルは、前記紙葉類投入部における、前記載置部に立位状態で載置される前記紙葉類の側端縁に対向する側にも設けられている、請求項３または４記載の紙葉類処理装置。
【請求項６】
前記金属異物検知部は、前記紙葉類投入部への前記紙葉類の投入時に当該紙葉類に含まれている前記金属異物を検知するようになっている、請求項１乃至５のいずれか一項に記載の紙葉類処理装置。
【請求項７】
筐体と、
前記筐体の外部から内部に紙葉類を投入するための紙葉類投入部と、
前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、
を備えた紙葉類処理装置であって、
前記金属異物検知部は、前記紙葉類投入部に前記紙葉類が投入されてから所定時間が経過した後に前記検知コイルに電流が継続的に流れている場合には前記金属異物を検知するようになっており、
前記紙葉類投入部に前記紙葉類が投入されてから前記所定時間が経過する間に前記検知コイルに電流が一時的に流れた場合には前記紙葉類投入部に投入された前記紙葉類に前記金属異物は含まれていないとする、紙葉類処理装置。
【請求項８】
前記紙葉類投入部には、当該紙葉類投入部の内部へのアクセスを選択的に規制するシャッタが開閉自在に設けられており、
前記金属異物検知部は、前記シャッタが閉められた状態にあるときに前記紙葉類投入部内にある前記紙葉類に含まれている前記金属異物を検知するようになっている、請求項１乃至５のいずれか一項に記載の紙葉類処理装置。
【請求項９】
前記金属異物検知部により前記金属異物が検知されると前記シャッタが開いて前記紙葉類投入部の内部へアクセスすることができるようになっている、請求項８記載の紙葉類処理装置。
【請求項１０】
前記金属異物検知部により前記金属異物が検知されたときにこのことを報知するための報知部を更に備えた、請求項１乃至９のいずれか一項に記載の紙葉類処理装置。
【請求項１１】
筐体と、
前記筐体の外部から内部に紙葉類を投入するための紙葉類投入部と、
前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、
を備え、
前記金属異物検知部の前記励磁コイルと前記検知コイルとが絶縁物に一体的に設けられており、前記検知コイルが前記励磁コイルの内側に配置されている、紙葉類処理装置。
【請求項１２】
筐体と、前記筐体の外部から内部に紙葉類を投入するための紙葉類投入部と、前記紙葉類投入部に配設され、励磁コイルと、そのコイル面が当該励磁コイルのコイル面と直交するよう配置された検知コイルとを有している金属異物検知部とを備えた紙葉類処理装置による紙葉類処理方法であって、
前記金属異物検知部の前記励磁コイルに電流を流す工程と、
前記紙葉類投入部に前記紙葉類が投入されてから所定時間が経過した後に前記検知コイルに電流が継続的に流れている場合には投入された前記紙葉類に金属異物が含まれていることを検知する工程と、
を備え、
前記紙葉類投入部に前記紙葉類が投入されてから前記所定時間が経過する間に前記検知コイルに電流が一時的に流れた場合には前記紙葉類投入部に投入された前記紙葉類に前記金属異物は含まれていないとする、紙葉類処理方法。
【発明の詳細な説明】
【技術分野】
【０００１】
本発明は、紙幣等の紙葉類が筐体の外部から内部に投入される際に当該紙葉類に含まれる金属異物を検知することができる紙葉類処理装置および紙葉類処理方法に関する。
【背景技術】
【０００２】
従来から、金融機関等に設置されるＡＴＭ（現金自動預け払い機）等の現金自動取引装置に用いられる紙幣入出金機において、顧客等の操作者が入出金口に投入した紙幣にクリップ等の金属異物が混入していた場合にこの金属異物を検知するような金属異物センサが当該入出金口に設置されている。このような金属異物センサとしては、例えば特許文献１等に開示されるものが知られている。
【０００３】
特許文献１等に開示されるような従来の金属異物センサでは、銅線等の電線が矩形状に何重にも巻かれた検知コイルが用いられるようになっており、この検知コイルに交流電流を流すことにより磁束を発生させるようにしている。そして、紙幣に混入した金属異物がこの検知コイルに近づくと、当該検知コイルの表面に渦電流が発生することにより反作用磁束が発生し、検知コイルの起電力が変化するようになり、この起電力の変化を検知することにより金属異物を検知するようになっている。
【先行技術文献】
【特許文献】
【０００４】
【特許文献１】欧州特許出願公開公報ＥＰ１３６２３３１Ａ２
【発明の概要】
【発明が解決しようとする課題】
【０００５】
しかしながら、特許文献１等に開示されるような従来の金属異物センサでは、紙幣に含まれる金属異物が検知コイルに十分に接近しなければ当該金属異物を検知することができなかったため、入出金口に投入される紙幣の枚数が多く、当該入出金口に投入された紙幣の束に混入した金属異物と検知コイルとの間の距離が大きくなった場合には当該金属異物を検知することができないおそれがあった。また、特許文献１等に開示されるような従来の金属異物センサでは、紙幣に含まれる金属異物が小さい場合には検知コイルの表面に発生する渦電流も小さくなり、検知コイルの起電力の変化も小さくなるため金属異物を検知することができないおそれがあった。
【０００６】
本発明は、このような点を考慮してなされたものであり、紙葉類投入部に投入される紙葉類の枚数が多い場合や当該紙葉類に含まれる金属異物が小さい場合でも金属異物を確実に検知することができる紙葉類処理装置および紙葉類処理方法を提供することを目的とする。
【課題を解決するための手段】
【０００７】
本発明の紙葉類処理装置は、筐体と、前記筐体の外部から内部に紙葉類を投入するための紙葉類投入部と、前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、を備え、前記紙葉類投入部には、１または複数の前記紙葉類が積層状態で投入される紙葉類投入領域が設けられており、前記金属異物検知部の前記励磁コイルは、前記紙葉類投入部の前記紙葉類投入領域を区画する、紙葉類が載置される載置部の底面に直交する側面の周囲を巻くことにより、前記紙葉類投入領域の周囲を巻くように配置されている筐体と、前記筐体の外部から内部に紙葉類を投入するための紙葉類投入部と、前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、を備え、前記紙葉類投入部には、１または複数の前記紙葉類が積層状態で投入される紙葉類投入領域が設けられており、前記金属異物検知部の前記励磁コイルは、前記紙葉類投入部の前記紙葉類投入領域を区画する、紙葉類が載置される載置部の底面に直交する側面の周囲を巻くように配置されていることを特徴とする。
【０００８】
このような紙葉類処理装置によれば、励磁コイルと、そのコイル面が当該励磁コイルのコイル面と直交するよう配置された検知コイルとを有するような金属異物検知部を紙葉類投入部に配設し、紙葉類投入部に投入される紙葉類に金属異物が含まれているときに金属異物検知部において検知コイルに電流が流れることにより当該金属異物を検知するようになっているため、紙葉類投入部に投入される紙葉類の枚数が多い場合や当該紙葉類に含まれる金属異物が小さい場合でも金属異物を確実に検知することができる。
【００１０】
本発明の紙葉類処理装置においては、前記紙葉類投入部には、当該紙葉類投入部に投入された前記紙葉類を前記筐体の内部に１枚ずつ繰り出す繰出機構が設けられており、前記金属異物検知部の前記検知コイルは、前記紙葉類投入部における前記紙幣投入領域を区画する前記側面のうち、前記繰出機構が設置された前壁と、前記前壁と対向する後壁に設けられていてもよい。
【００１１】
この場合、前記紙葉類投入部には、１または複数の前記紙葉類が立位状態で載置される載置部が設けられており、前記金属異物検知部の前記検知コイルは、前記載置部に立位状態で載置される前記紙葉類の高さ方向において少なくとも１つ配置されていてもよい。
【００１２】
また、前記金属異物検知部の前記検知コイルは、前記載置部に立位状態で載置される前記紙葉類の幅方向において少なくとも１つ配置されていてもよい。
【００１３】
また、前記金属異物検知部の前記検知コイルは、前記紙葉類投入部における、前記載置部に立位状態で載置される前記紙葉類の側端縁に対向する側にも設けられていてもよい。
【００１４】
本発明の紙葉類処理装置においては、前記金属異物検知部は、前記紙葉類投入部への前記紙葉類の投入時に当該紙葉類に含まれている前記金属異物を検知するようになっていてもよい。
【００１５】
また、発明の紙葉類処理装置は、筐体と、前記筐体の外部から内部に紙葉類を投入するための紙葉類投入部と、前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、を備えた紙葉類処理装置であって、前記金属異物検知部は、前記紙葉類投入部に前記紙葉類が投入されてから所定時間が経過した後に前記検知コイルに電流が継続的に流れている場合には前記金属異物を検知するようになっており、前記紙葉類投入部に前記紙葉類が投入されてから前記所定時間が経過する間に前記検知コイルに電流が一時的に流れた場合には前記紙葉類投入部に投入された前記紙葉類に前記金属異物は含まれていないとすることを特徴とする。
【００１６】
あるいは、前記紙葉類投入部には、当該紙葉類投入部の内部へのアクセスを選択的に規制するシャッタが開閉自在に設けられており、前記金属異物検知部は、前記シャッタが閉められた状態にあるときに前記紙葉類投入部内にある前記紙葉類に含まれている前記金属異物を検知するようになっていてもよい。
【００１７】
この場合、前記金属異物検知部により前記金属異物が検知されると前記シャッタが開いて前記紙葉類投入部の内部へアクセスすることができるようになっていてもよい。
【００１８】
本発明の紙葉類処理装置は、前記金属異物検知部により前記金属異物が検知されたときにこのことを報知するための報知部を更に備えていてもよい。
【００１９】
本発明の紙葉類処理装置は、筐体と、前記筐体の外部から内部に紙葉類を投入するための紙葉類投入部と、前記紙葉類投入部に配設され、電流が流される励磁コイルと、そのコイル面が前記励磁コイルのコイル面と直交するよう配置された検知コイルとを有しており、前記紙葉類投入部に投入される前記紙葉類に金属異物が含まれているときに前記検知コイルに電流が流れることにより当該金属異物を検知する金属異物検知部と、を備え、前記金属異物検知部の前記励磁コイルと前記検知コイルとが絶縁物に一体的に設けられており、前記検知コイルが前記励磁コイルの内側に配置されていることを特徴とする。
また、本発明の紙葉類処理方法は、筐体と、前記筐体の外部から内部に紙葉類を投入するための紙葉類投入部と、前記紙葉類投入部に配設され、励磁コイルと、そのコイル面が当該励磁コイルのコイル面と直交するよう配置された検知コイルとを有している金属異物検知部とを備えた紙葉類処理装置による紙葉類処理方法であって、前記金属異物検知部の前記励磁コイルに電流を流す工程と、前記紙葉類投入部に前記紙葉類が投入されてから所定時間が経過した後に前記検知コイルに電流が継続的に流れている場合には投入された前記紙葉類に金属異物が含まれていることを検知する工程と、を備え、前記紙葉類投入部に前記紙葉類が投入されてから前記所定時間が経過する間に前記検知コイルに電流が一時的に流れた場合には前記紙葉類投入部に投入された前記紙葉類に前記金属異物は含まれていないとすることを特徴とする。
【００２０】
このような紙葉類処理方法によれば、金属異物検知部の励磁コイルに電流を流し、紙葉類投入部に投入される紙葉類に金属異物が含まれているときに金属異物検知部の検知コイルに電流が流れることにより当該金属異物を検知するようになっているため、紙葉類投入部に投入される紙葉類の枚数が多い場合や当該紙葉類に含まれる金属異物が小さい場合でも金属異物を確実に検知することができる。
【発明の効果】
【００２１】
本発明による紙葉類処理装置および紙葉類処理方法によれば、紙葉類投入部に投入される紙葉類の枚数が多い場合や当該紙葉類に含まれる金属異物が小さい場合でも金属異物を確実に検知することができる。
【図面の簡単な説明】
【００２２】
【図１】本発明の第１の実施の形態による紙幣処理機の概略的な構成を示す概略構成図である。
【図２】図１に示す紙幣処理機の入出金部に設けられた金属異物検知部の構成を模式的に示す斜視図である。
【図３】図２に示す金属異物検知部を上方から見たときの構成の概略を示す概略構成図である。
【図４Ａ】図１に示す紙幣処理機の入出金部に実際に配置される金属異物検知部の複数の検知コイルの位置を概略的に示す斜視図である。
【図４Ｂ】図４Ａに示す入出金部を上方から見たときの金属異物検知部の複数の検知コイルの位置を概略的に示す上面図である。
【図５】比較例としての従来技術の金属異物検知部の構成を模式的に示す斜視図である。
【図６】図５に示す従来技術の金属異物検知部を側方から見たときの構成の概略を示す概略構成図である。
【図７】比較例としての従来技術の金属異物検知部の他の構成を模式的に示す斜視図である。
【図８】図１に示す紙幣処理機における入出金部の構成を示す構成図であって、紙幣の入金処理を行う際の動作を示す図である。
【図９】図１に示す紙幣処理機における入出金部の構成を示す構成図であって、図８に示す状態に引き続く、紙幣の入金処理を行う際の動作を示す図である。
【図１０】図１に示す紙幣処理機における入出金部の構成を示す構成図であって、図９に示す状態に引き続く、紙幣の入金処理を行う際の動作を示す図である。
【図１１】図１に示す紙幣処理機における入出金部の構成を示す構成図であって、図１０に示す状態に引き続く、紙幣の入金処理を行う際の動作を示す図である。
【図１２】図１に示す紙幣処理機における入出金部を上方から見たときの載置部の構成を示す上面図である。
【図１３】図１に示す紙幣処理機の機能ブロック図である。
【図１４】本発明の第２の実施の形態による金属異物検知部の構成を模式的に示す斜視図である。
【図１５】図１４に示す金属異物検知部を手前側から見たときの構成の概略を示す概略構成図である。
【図１６】本発明の第３の実施の形態による紙幣処理機の概略的な構成を示す概略構成図である。
【図１７】図１６に示す紙幣処理機における紙幣束搬送機構の構成の概略を示す側面図である。
【発明を実施するための形態】
【００２３】
〔第１の実施の形態〕
以下、図面を参照して本発明の第１の実施の形態について説明する。図１乃至図１３は、本実施の形態による紙幣処理機の構成を示す図である。このうち、図１は、本実施の形態による紙幣処理機の概略的な構成を示す概略構成図である。また、図２、図３、図４Ａおよび図４Ｂは、図１に示す紙幣処理機の入出金部に設けられた金属異物検知部の構成を示す図である。なお、図５乃至図７は、比較例としての従来技術の金属異物検知部の様々な構成を示す図である。また、図８乃至図１１は、図１に示す紙幣処理機における入出金部の構成を示す構成図であって、紙幣の入金処理を行う際の動作を示す図である。また、図１２は、図１に示す紙幣処理機における入出金部を上方から見たときの載置部の構成を示す上面図である。また、図１３は、図１に示す紙幣処理機の機能ブロック図である。
【００２４】
まず、本実施の形態に係る紙幣処理機１０の全体構成について図１を用いて説明する。図１に示すように、本実施の形態による紙幣処理機１０は、上部筐体１２および下部筐体１４を備えている。上部筐体１２には、当該上部筐体１２の外部から内部に紙幣を投入したり上部筐体１２の内部から外部に紙幣を投出したりするための入出金部２０が設けられている。入出金部２０の構成の詳細については後述する。また、上部筐体１２の内部において、紙幣を１枚ずつ搬送する搬送部４０が入出金部２０に接続されている。搬送部４０には識別部４２が設けられており、当該搬送部４０により搬送される紙幣は識別部４２によりその金種、真偽、正損等の識別が行われるようになっている。また、搬送部４０には斜行矯正部４４が設けられており、入出金部２０から搬送部４０に繰り出された紙幣が斜行状態で搬送されているときには斜行矯正部４４によりその斜行状態が矯正されるようになっている。また、搬送部４０にはテープ巻取方式の一時保留部４６が接続されている。一時保留部４６は、正逆両方向に回転可能なドラムを有しており、このドラムに一対のテープが巻き取られるようになっている。そして、搬送部４０から一時保留部４６に送られた紙幣は、この一対のテープの間に挟まれた状態で１枚ずつ順次ドラムにより巻き取られて収納されるようになっている。また、ドラムを逆転させると、巻き取られた紙幣が１枚ずつ繰り出されて、搬送部４０に送られるようになっている。また、搬送部４０には位置合わせ部４８が設けられており、この位置合わせ部４８により、搬送部４０により搬送される紙幣が搬送路の幅方向における所定の位置（例えば、中央位置）となるよう位置合わせが行われるようになっている。また、搬送部４０には偽券用収納部４９が接続されており、識別部４２により偽券であると識別された紙幣や真偽が不確定であると識別された紙幣は搬送部４０により偽券用収納部４９に送られて当該偽券用収納部４９に収納されるようになっている。
【００２５】
また、下部筐体１４はいわゆる金庫となっており、管理者等の、特定の権限を有する者のみがこの下部筐体１４の扉を開けて内部にアクセスすることができるようになっている。また、下部筐体１４の内部には、紙幣を１枚ずつ搬送する搬送部４１が設けられており、この搬送部４１は上部筐体１２内に設けられた搬送部４０と接続されている。このことにより、上部筐体１２内と下部筐体１４内との間で紙幣の受け渡しを行うことができるようになっている。また、下部筐体１４内には複数の紙幣収納繰出カセット５０が並列に設けられており、各紙幣収納繰出カセット５０はそれぞれ搬送部４１に接続されている。各紙幣収納繰出カセット５０は搬送部４１から送られた紙幣を例えば金種別に収納するようになっている。また、各紙幣収納繰出カセット５０には、収納された紙幣を１枚ずつ搬送部４１に繰り出す紙幣繰出機構（図示せず）が設けられている。また、下部筐体１４内には複数の紙幣収納カセット５２が並列に設けられており、各紙幣収納カセット５２はそれぞれ搬送部４１に接続されている。各紙幣収納カセット５２は搬送部４１から送られた紙幣を収納するようになっている。また、各紙幣収納カセット５２には、対応する金種の紙幣収納繰出カセット５０が満杯であるため当該紙幣収納繰出カセット５０に収納できないようなオーバーフロー紙幣、識別部４２により偽券であると識別された紙幣、各紙幣収納繰出カセット５０に金種が割り当てられていない紙幣、出金に利用できない損券、出金処理時において入出金部２０に送られた後に操作者（顧客）が取り忘れた紙幣（取り忘れ紙幣）等が収納されるようになっている。また、上述した様々な種類の紙幣をどの紙幣収納カセット５２に収納するかを任意で設定することができるようになっている。
【００２６】
次に、このような紙幣処理機１０において入金処理や出金処理等の様々な処理を行う際の動作について説明する。
【００２７】
紙幣処理機１０において紙幣の入金処理を行う際には、操作者はタッチパネル等の操作表示部８０（後述）によって入金指令を入力することにより入出金部２０のシャッタ２８（後述）を開く。その後、入出金部２０に紙幣を投入すると、入出金部２０のシャッタ２８が閉じられた後に、この入出金部２０に設けられた第１の紙幣繰出機構２４（後述）により紙幣が１枚ずつ搬送部４０に繰り出される。搬送部４０に繰り出された紙幣は斜行矯正部４４によりその斜行状態が矯正された後、識別部４２により金種、真偽、正損等の識別が行われる。識別部４２により偽券であると識別された紙幣や真偽が不確定であると識別された紙幣は搬送部４０により偽券用収納部４９に送られてこの偽券用収納部４９に収納される。また、識別部４２により正常な紙幣であると識別された紙幣は搬送部４０により一時保留部４６に送られ、この一時保留部４６で一時的に保留される。また、識別部４２により正常な紙幣ではないと識別されたリジェクト紙幣が搬送部４０により入出金部２０に戻されるようになっていてもよい。そして、入出金部２０に投入された紙幣が全て上部筐体１２の内部に繰り出されて一時保留部４６や偽券用収納部４９等に送られた後、操作者が操作表示部８０（後述）によって入金確定の指令を入力すると、一時保留部４６に一時的に保留されていた紙幣は搬送部４０、４１により各紙幣収納繰出カセット５０に金種別に収納される。
【００２８】
また、紙幣処理機１０において紙幣の出金処理を行う際には、各紙幣収納繰出カセット５０に収納されている紙幣が当該紙幣収納繰出カセット５０に設けられた紙幣繰出機構により１枚ずつ搬送部４１に繰り出され、搬送部４１から搬送部４０に受け渡された後に識別部４２により金種、真偽、正損等の識別が行われる。そして、識別部４２により正常な紙幣であると識別された紙幣は、位置合わせ部４８により搬送路の幅方向における所定の位置（例えば、中央位置）となるよう位置合わせが行われた後、入出金部２０に送られてこの入出金部２０に集積される。一方、識別部４２により正常な紙幣ではないと識別された紙幣は一時保留部４６に送られ、この一時保留部４６で一時的に保留される。そして、所定の金額の紙幣が各紙幣収納繰出カセット５０から入出金部２０に送られると、入出金部２０のシャッタ２８が開かれることにより、操作者は入出金部２０から紙幣を上部筐体１２の外部に取り出し可能となる。また、一時保留部４６で一時的に保留される紙幣は当該一時保留部４６から繰り出され、この繰り出された紙幣は搬送部４０および搬送部４１により紙幣収納繰出カセット５０または紙幣収納カセット５２に送られる。なお、入出金部２０のシャッタ２８が開かれた後、所定の時間が経過しても当該入出金部２０から紙幣が取り出されなかったときには、入出金部２０から第２の紙幣繰出機構２６（後述）により紙幣が１枚ずつ搬送部４０に繰り出され、識別部４２を通過することにより当該紙幣の金種が確認された後に一時保留部４６に一時的に保留され、その後、一時的に保留された紙幣が一時保留部４６から繰り出され、この繰り出された紙幣は搬送部４０および搬送部４１により紙幣収納繰出カセット５０または紙幣収納カセット５２に送られる。また、入出金部２０のシャッタ２８が開かれた後、所定の時間が経過しても当該入出金部２０から紙幣が取り出されなかったときに、入出金部２０から第２の紙幣繰出機構２６（後述）により紙幣が１枚ずつ搬送部４０に繰り出され、位置合わせ部４８を通過した後に識別部４２を通過することにより当該紙幣の金種が確認され、その後、この紙幣が搬送部４０および搬送部４１により紙幣収納繰出カセット５０または紙幣収納カセット５２に送られるようになっていてもよい。
【００２９】
次に、このような紙幣処理機１０に設けられた入出金部２０の構成の詳細について図８乃至図１２を用いて説明する。なお、図８乃至図１１において入出金部２０にある紙幣を参照符号Ｐで示している。
【００３０】
図８乃至図１２に示すように、入出金部２０には、複数の紙幣が立位状態で載置される載置部２２が設けられている。ここで、図１２は、入出金部２０を上方から見たときの載置部２２の構成を示す上面図である。図１２に示すように、載置部２２は左右一対の側壁２１の間に形成されており、この載置部２２の底面２３には平行に延びる複数の棒状の載置部材（リブ）２３ａが設けられている。そして、載置部２２において紙幣の束は複数の載置部材２３ａをまたがるようこれらの載置部材２３ａの上で立位状態で載置されるようになっている。また、各載置部材２３ａの間には、硬貨やクリップ等の、紙幣以外の異物を落下させるのに十分な大きさを有する空間２３ｂが形成されている。ここで、各載置部材２３ａの断面形状は山形状となっており、この山形状の断面の頂部のみが紙幣の束の下端縁と接するようになっている。各載置部材２３ａの断面形状がこのような山形状となっていることにより、紙幣の束の下端縁と各載置部材２３ａとの間の接触面積が小さくなり、後述する押さえ部材３４により紙幣の束が後述する第１の紙幣繰出機構２４に向かって押圧される際に各載置部材２３ａが紙幣の移動の妨げにならないようになっている。また、図８乃至図１１に示すように、載置部２２の下方には、各空間２３ｂを通って載置部２２から落下した異物を受ける異物受け部２５が設けられている。
【００３１】
また、図８乃至図１１に示すように、載置部２２における一方の側部には、当該載置部２２に立位状態で載置された紙幣を上部筐体１２の内部に繰り出すための第１の紙幣繰出機構２４が設けられている。第１の紙幣繰出機構２４は、載置部２２に載置されている紙幣のうち図８等における最も左下側にある紙幣を下方に蹴り出すキッカローラ２４ａと、キッカローラ２４ａにより下方に蹴り出された紙幣を上部筐体１２の内部に繰り出して搬送部４０に送るフィードローラ２４ｂと、フィードローラ２４ｂと当接するよう設けられ、当該フィードローラ２４ｂとの間でゲート部（ニップ部）を形成する対向ローラ２４ｃとを有している。ここで、キッカローラ２４ａにより複数枚の紙幣が下方に蹴り出された場合でも、フィードローラ２４ｂと対向ローラ２４ｃとの間に形成されたゲート部により紙幣が１枚ずつに分離されるようになっている。
【００３２】
また、載置部２２における他方の側部にも、当該載置部２２に立位状態で載置された紙幣を上部筐体１２の内部に繰り出すための第２の紙幣繰出機構２６が設けられている。ここで、第２の紙幣繰出機構２６は、紙幣の出金処理が行われる際に搬送部４０から載置部２２に送られた紙幣を再び上部筐体１２の内部に繰り出すときに用いられるようになっている。第１の紙幣繰出機構２４と同様に、第２の紙幣繰出機構２６は、載置部２２に載置されている紙幣のうち当該第２の紙幣繰出機構２６に最も近い紙幣を下方に蹴り出すキッカローラ２６ａと、キッカローラ２６ａにより下方に蹴り出された紙幣を上部筐体１２の内部に繰り出して搬送部４０に送るフィードローラ２６ｂと、フィードローラ２６ｂと当接するよう設けられ、当該フィードローラ２６ｂとの間でゲート部（ニップ部）を形成する対向ローラ２６ｃとを有している。ここで、キッカローラ２６ａにより複数枚の紙幣が下方に蹴り出された場合でも、フィードローラ２６ｂと対向ローラ２６ｃとの間に形成されたゲート部により紙幣が１枚ずつに分離されるようになっている。また、紙幣の出金処理において搬送部４０から載置部２２に紙幣を送る際に、搬送部４０から送られた紙幣はフィードローラ２６ｂと対向ローラ２６ｃとの間に形成されたゲート部を通って載置部２２に立位状態で載置されるようになっている。
【００３３】
また、入出金部２０には、載置部２２の開閉を行うシャッタ２８が設けられている。このシャッタ２８は、図８に示すような、載置部２２を開いて操作者が当該載置部２２内に手を入れることができるような開放位置と、図９乃至図１１に示すような、載置部２２を閉じて操作者が当該載置部２２内に手を入れることができないような閉止位置との間で移動するようになっている。
【００３４】
また、第１の紙幣繰出機構２４のキッカローラ２４ａの近傍には、載置部２２における第１の紙幣繰出機構２４側の側面を構成するガイド部３０が設けられている。ガイド部３０は、載置部２２の底面２３に沿って、第１の紙幣繰出機構２４に向かう方向および第１の紙幣繰出機構２４から遠ざかる方向に移動自在となっている。
【００３５】
また、入出金部２０には、載置部２２に載置された紙幣の束を第１の紙幣繰出機構２４に向かって押圧する押さえ部材３４が設けられている。この押さえ部材３４は、載置部２２の底面２３に沿って、第１の紙幣繰出機構２４に向かう方向および第１の紙幣繰出機構２４から遠ざかる方向に移動自在となっている。そして、載置部２２に紙幣が載置されている状態で、押さえ部材３４が第１の紙幣繰出機構２４に向かう方向に移動したときに、載置部２２に載置されている紙幣の束が押さえ部材３４により第１の紙幣繰出機構２４に向かって押圧され、載置部２２に載置されている紙幣のうち図８等における最も左下側にある紙幣が第１の紙幣繰出機構２４により上部筐体１２の内部に繰り出されるようになっている。
【００３６】
また、入出金部２０には、載置部２２を複数の領域に区分けするための第１の仕切り部材３６および第２の仕切り部材３８が設けられている。これらの第１の仕切り部材３６および第２の仕切り部材３８は、それぞれ、載置部２２の底面２３に沿って、第１の紙幣繰出機構２４に向かう方向および第１の紙幣繰出機構２４から遠ざかる方向に移動自在となっている。そして、ガイド部３０と押さえ部材３４との間には、紙幣の入金処理が行われる際に操作者により紙幣が投入される入金領域が形成されるようになっており、また、第１の仕切り部材３６と第２の仕切り部材３８との間には、紙幣の出金処理が行われる際に搬送部４０からフィードローラ２６ｂと対向ローラ２６ｃとの間に形成されたゲート部を通って紙幣が送られる出金領域が形成されるようになっている。また、前述した押さえ部材３４は、ガイド部３０と第１の仕切り部材３６との間に位置するようになっている。
【００３７】
また、図１３に示すように、本実施の形態の紙幣処理機１０には、当該紙幣処理機１０の各構成要素の制御を行う本体制御部７０が設けられている。本体制御部７０には入出金部２０、搬送部４０、識別部４２、斜行矯正部４４、一時保留部４６、位置合わせ部４８、紙幣収納繰出カセット５０がそれぞれ接続されている。ここで、識別部４２による紙幣の識別結果は本体制御部７０に送られるようになっている。また、本体制御部７０は、入出金部２０、搬送部４０、斜行矯正部４４、一時保留部４６、位置合わせ部４８、紙幣収納繰出カセット５０の各々に指令信号を送ることによりこれらの構成要素の制御を行うようになっている。また、図１３に示すように、本体制御部７０には操作表示部８０、記憶部８２、印字部８４、通信部８６がそれぞれ接続されている。操作表示部８０は紙幣処理機１０の上部筐体１２の前面または上面に設けられたタッチパネル等からなり、紙幣処理機１０における紙幣の処理状況や在高等に係る情報を表示するとともに、操作者が操作表示部８０により様々な指令を入力可能なように構成されている。また、記憶部８２は、紙幣処理機１０における紙幣の処理状況や在高等に係る情報を記憶するようになっている。また、印字部８４は、紙幣処理機１０における紙幣の処理状況や在高等に係る情報をレシート等に印字するプリンタ等からなる。また、通信部８６は、紙幣処理機１０の外部に設けられた上位装置等の外部装置と信号の送受信を行うようになっている。
【００３８】
また、図１３に示すように、入出金部２０には当該入出金部２０の各構成要素を制御する入出金部制御部７２が設けられている。入出金部制御部７２には第１の紙幣繰出機構２４、第２の紙幣繰出機構２６、シャッタ２８、ガイド部３０、押さえ部材３４、第１の仕切り部材３６、第２の仕切り部材３８、金属異物検知部６０（後述）がそれぞれ接続されている。ここで、金属異物検知部６０による金属異物の検知情報は入出金部制御部７２を介して本体制御部７０に送られるようになっている。また、入出金部制御部７２は、第１の紙幣繰出機構２４、第２の紙幣繰出機構２６、シャッタ２８、ガイド部３０、押さえ部材３４、第１の仕切り部材３６、第２の仕切り部材３８の各々の指令信号を送ることによりこれらの構成要素の制御を行うようになっている。
【００３９】
なお、本実施の形態の紙幣処理機１０では、入出金部２０に入出金部制御部７２が設置されておらず、上述した入出金部制御部７２の機能を本体制御部７０が果たすようになっていてもよい。この場合には、金属異物検知部６０による金属異物の検知情報は本体制御部７０に直接送られるようになる。
【００４０】
次に、本実施の形態の紙幣処理機１０における入出金部２０の動作（具体的には、紙幣の入金処理を行う際の入出金部２０の動作）について図８乃至図１１を用いて説明する。
【００４１】
紙幣処理機１０において紙幣の入金処理を行うにあたり、操作者が操作表示部８０によって入金指令を入力すると図８に示すように入出金部２０のシャッタ２８が開かれる。そして、操作者が載置部２２に紙幣の束を立位状態で投入すると、図９の矢印に示すように紙幣投入出口がシャッタ２８により閉じられる。その後、図１０の矢印に示すように押さえ部材３４が載置部２２の底面２３に沿って第１の紙幣繰出機構２４側に向かって移動することにより、載置部２２に投入された紙幣の束は押さえ部材３４とガイド部３０との間で挟まれるようになる。そして、図１１に示すように、紙幣の束を挟んだ状態でガイド部３０および押さえ部材３４が一体的に第１の紙幣繰出機構２４側に向かって移動する。そして、載置部２２にある紙幣の束を押さえ部材３４が第１の紙幣繰出機構２４のキッカローラ２４ａ側に向かって押圧しながら当該キッカローラ２４ａが図１１における時計回りの方向に回転することにより、載置部２２に載置されている紙幣のうち図１１における最も左下側にある紙幣がキッカローラ２４ａにより１枚ずつ下方に蹴り出され、蹴り出された紙幣はフィードローラ２４ｂにより上部筐体１２の内部に１枚ずつ繰り出されるようになる。
【００４２】
また、紙幣の入金処理において、識別部４２により正常な紙幣ではないと識別された紙幣がリジェクト紙幣として入出金部２０に戻される場合には、搬送部４０から入出金部２０に搬送された紙幣は第２の紙幣繰出機構２６におけるフィードローラ２６ｂと対向ローラ２６ｃとの間に形成されたゲート部を通って載置部２２に送られる。この際に、フィードローラ２６ｂと対向ローラ２６ｃとの間に形成されたゲート部を通過した紙幣は、第１の仕切り部材３６と第２の仕切り部材３８との間に形成された出金領域に送られ、この出金領域に立位状態で集積されるようになる。その後、ガイド部３０と押さえ部材３４との間にある紙幣が全て上部筐体１２の内部に繰り出された後にシャッタ２８が開き、操作者は載置部２２における第１の仕切り部材３６と第２の仕切り部材３８との間に集積されたリジェクト紙幣を上部筐体１２の外部に取り出すことができるようになる。
【００４３】
本実施の形態では、入出金部２０において、紙幣処理機１０の上部筐体１２の外部から載置部２２に投入される紙幣にクリップ等の金属異物が含まれているときに当該金属異物を検知する金属異物検知部６０が設けられている。より詳細には、金属異物検知部６０は電磁誘導センサからなり、当該金属異物検知部６０は検知コイル６２および励磁コイル６４を有している。このような金属異物検知部６０の構成の詳細について図２、図３、図４Ａおよび図４Ｂを用いて説明する。なお、図２は、図１に示す紙幣処理機１０の入出金部２０に設けられた金属異物検知部６０の構成を模式的に示す斜視図であり、図３は、図２に示す金属異物検知部６０を上方から見たときの構成の概略を示す概略構成図である。また、図４Ａは、図１に示す紙幣処理機１０の入出金部２０に実際に配置される金属異物検知部６０の複数の検知コイル６２の位置を概略的に示す斜視図であり、図４Ｂは、図４Ａに示す入出金部２０を上方から見たときの金属異物検知部６０の複数の検知コイル６２の位置を概略的に示す上面図である。
【００４４】
図２等に示すように、金属異物検知部６０は、銅線等の電線が矩形状に何重にも巻かれた検知コイル６２と、銅線等の電線が何重にも巻かれた励磁コイル６４とを有している。このような金属異物検知部６０では、検知コイル６２のコイル面が励磁コイル６４のコイル面と直交するよう検知コイル６２および励磁コイル６４がそれぞれ配置されている。具体的には、図２において検知コイル６２のコイル面はＸ方向およびＺ方向からなる平面上に位置し、一方、励磁コイル６４のコイル面はＸ方向およびＹ方向からなる平面上に位置するようになっている。また、入出金部２０には、１または複数の紙幣が積層状態で投入される紙幣投入領域２０ａが設けられており、励磁コイル６４は、この紙幣投入領域２０ａの周囲を巻くように配置されている。具体的には、図２や図４Ｂに示すように、入出金部２０において、紙幣投入領域２０ａは、左右一対の側壁２１の間かつ、上述した第１の紙幣繰出機構２４が配置される前壁２７ａと上述した第２の紙幣繰出機構２６が配置される後壁２７ｂとの間に設けられている。また、この励磁コイル６４には図示しない電源により電流が流されるようになっており、励磁コイル６４に電流が流されると、その巻線方向と直交する方向に一様磁界が発生し、このことにより磁束６６が発生するようになる（図２および図３参照）。
【００４５】
図２に示すように、検知コイル６２は、入出金部２０における第１の紙幣繰出機構２４が設置された前壁２７ａに少なくとも１つ設けられている。ここで、検知コイル６２のコイル面は、前壁２７ａにおける紙幣に対向する面と平行となるように配置されている。また、図３に示すように、検知コイル６２は、励磁コイル６４に電流が流されることにより発生する一様磁界に置かれているため、磁束６６により起電力が誘導されるようになる。より詳細には、検知コイル６２の近傍に金属異物が存在しない場合には、検知コイル６２において図２の上側の部分に発生する起電力と図２の下側の部分に発生する起電力とは大きさが同じで方向が逆になる。このため、検知コイル６２において図２の上側の部分に発生する起電力と図２の下側の部分に発生する起電力とは互いに打ち消し合い、検知コイル６２には電流が流れないため検知信号が発生しない。一方、操作者により入出金部２０の載置部２２に載置された紙幣にクリップ等の金属異物が混じっており、検知コイル６２の近傍に金属異物が存在する場合には（このような金属異物を図３において参照符号Ｑで表示）、当該金属異物には、磁束６６によって渦電流が発生する。このため、金属異物の近傍の空間磁界は、渦電流が発生する磁界の影響を受けて、一様磁界に乱れが生じるようになる。この場合には、検知コイル６２において図２の上側の部分に発生する起電力の大きさと図２の下側の部分に発生する起電力の大きさとが異なるようになり、検知コイル６２に電流が流れるようになるため検知信号が発生する。このようにして、金属異物検知部６０は、検知コイル６２に電流が流れることにより金属異物を検知するようになっている。
【００４６】
金属異物検知部６０により金属異物が検知されると、金属異物の検知情報は入出金部制御部７２を介して本体制御部７０に送られる。本体制御部７０は、金属異物検知部６０から金属異物の検知情報が送られると、入出金部２０の内部に金属異物が存在する旨の情報を操作表示部８０により表示させたり通信部８６により外部装置に送信させたりする。このことにより、入出金部２０の内部に金属異物が存在することが操作者等に報知される。本実施の形態では、このような操作表示部８０や通信部８６により、金属異物検知部６０により金属異物が検知されたときにこのことを報知するための報知部が構成されている。
【００４７】
上記の構成の金属異物検知部６０によれば、検知コイル６２の近傍に金属異物が存在しない場合には、検知コイル６２において図２の上側の部分に発生する起電力と図２の下側の部分に発生する起電力とは大きさが同じで方向が逆になり、一方、検知コイル６２の近傍に金属異物が存在する場合には上記の２つの起電力の均衡が崩れて検知コイル６２に電流が流れることにより金属異物が検知されるようになっている。ここで、金属異物が比較的小さいときや検知コイル６２と金属異物との間の距離が比較的大きいときでも上記の２つの起電力の均衡が崩れるようになるため、硬貨等の比較的大きな金属異物に加えて、クリップ等の比較的小さな金属異物を検知することができ、また、入出金部２０の載置部２２に投入される紙幣の枚数が多く、検知コイル６２と金属異物との間の距離が比較的大きい場合でも、当該検知コイル６２は金属異物を検知することができる。一方、従来技術の金属異物検知部では、クリップ等の比較的小さな金属異物を検知することが難しく、また、金属異物との間の距離が比較的大きい場合にも当該金属異物を検知することが難しかった。このことについて図５乃至図７に示すような比較例としての従来技術の金属異物検知部を用いて説明する。
【００４８】
図５は、比較例としての従来技術の金属異物検知部２００の構成を模式的に示す斜視図であり、図６は、図５に示す従来技術の金属異物検知部２００を側方から見たときの構成の概略を示す概略構成図である。図５および図６に示す金属異物検知部２００は、銅線等の電線が矩形状に何重にも巻かれた１つの検知コイルのみを有しており、この検知コイルに交流電流を流すことにより磁束を発生させるようになっている。そして、金属異物がこの検知コイルに近づくと、当該検知コイルの表面に渦電流が発生することにより反作用磁束が発生し、検知コイルの起電力が変化するようになり、この起電力の変化を検知することにより金属異物を検知するようになっている。しかしながら、このような構成の金属異物検知部２００では、本実施の形態による金属異物検知部６０と比較して、金属異物が検知コイルに十分に接近しなければ当該金属異物を検知することができないという問題がある。すなわち、従来技術の金属異物検知部２００では、金属異物の検知範囲は図６における点線の範囲内の領域となっており、この検知範囲の高さａは比較的小さかった。このため、紙幣処理機１０の入出金部２０に投入される紙幣の枚数が多く、当該入出金部２０に投入された紙幣の束に混入した金属異物と金属異物検知部２００の検知コイルとの間の距離が大きくなった場合には当該金属異物を検知することができないおそれがあった。また、このような従来の金属異物検知部２００では、クリップ等の小さな金属異物が検知コイルの近傍に位置する場合には検知コイルの表面に発生する渦電流も小さくなり、検知コイルの起電力の変化も小さくなるため金属異物を検知することができないおそれがあった。
【００４９】
また、図７は、比較例としての従来技術の他の構成の金属異物検知部３００の構成を模式的に示す斜視図である。図７に示すように、金属異物検知部３００は、銅線等の電線が矩形状に何重にも巻かれた励磁コイル３０２と、同じく銅線等の電線が矩形状に何重にも巻かれた検知コイル３０４とを有しており、励磁コイル３０２のコイル面が検知コイル３０４のコイル面と平行になるよう励磁コイル３０２および検知コイル３０４がそれぞれ配置されている。このような金属異物検知部３００によれば、図示しない電源により励磁コイル３０２に電流が流されると（図７の矢印参照）、図７において下方向に磁束が発生し、この磁束により検知コイル３０４にも電流が流れるようになる。そして、図７の参照符号Ｑに示すように、励磁コイル３０２と検知コイル３０４との間に金属異物が存在する場合には、励磁コイル３０２に電流が流されることにより発生する磁束が乱れるようになり、検知コイル３０４に流れる電流の大きさも変化する。このことにより、検知コイル３０４は金属異物を検出するようになる。しかしながら、このような構成の金属異物検知部３００では、検知コイル３０４に流れる電流の大きさの変化に基づいて金属異物を検知しているため、金属異物が比較的小さい場合には検知コイル３０４に流れる電流の大きさがほとんど変化せず、この場合には当該検知コイル３０４に流れる電流の大きさの変化を検知することができない場合があった。また、従来技術の金属異物検知部３００では金属異物の検知範囲は概ね励磁コイル３０２と検知コイル３０４との間の領域となるため金属異物の検知範囲が比較的小さくなってしまうという問題があった。
【００５０】
これに対し、本実施の形態の金属異物検知部６０では、電流が流される励磁コイル６４と、そのコイル面が当該励磁コイル６４のコイル面と直交するよう配置された検知コイル６２とを有しており、入出金部２０の載置部２２に投入される紙幣に金属異物が含まれているときに金属異物検知部６０において検知コイル６２に電流が流れることにより当該金属異物を検知するようになっている。このような構成の金属異物検知部６０によれば、検知コイル６２の近傍に金属異物が存在する場合には、検知コイル６２において図２の上側の部分に発生する起電力と図２の下側の部分に発生する起電力との均衡が崩れて検知コイル６２に電流が流れることにより金属異物が検知されるようになっているため、入出金部２０の載置部２２に投入される紙幣の枚数が多い場合や当該紙幣に含まれる金属異物が小さい場合でも金属異物を確実に検知することができる。
【００５１】
また、本実施の形態の金属異物検知部６０は、入出金部２０の載置部２２に紙幣が投入されたときに当該紙幣に含まれている金属異物をすぐに検知するようになっていてもよく、あるいは、入出金部２０の載置部２２に紙幣が投入されてから所定時間が経過した後に紙幣に含まれている金属異物を検知するようになっていてもよい。すなわち、前者の場合には、検知コイル６２に電流が流れると、金属異物検知部６０から入出金部制御部７２を介して本体制御部７０に金属異物の検知情報が即座に送られるようになる。また、前者の場合には検知コイル６２に流れる電流の瞬間的な変化が大きくなり、このような検知コイル６２に流れる電流の瞬間的な変化を検知することにより金属異物をより一層確実に検知することができるようになる。一方、後者の場合には、検知コイル６２に一旦電流が流れても、所定時間が経過した後に当該検知コイル６２に電流が流れていなければ、金属異物検知部６０から本体制御部７０に金属異物の検知情報は送られない。入出金部２０の載置部２２に紙幣を投入しようとする操作者の指に例えば指輪が装着されていたときには、前者の運用が行われている場合にはこのような指輪を金属異物検知部６０により金属異物として誤検知してしまうおそれがあるが、後者の運用が行われている場合には操作者の指に装着されている指輪等が金属異物検知部６０により金属異物として誤検知されてしまうことを抑制することができる。
【００５２】
また、金属異物検知部６０は、シャッタ２８が閉められた状態にあるときに（図９乃至図１１参照）、検知コイル６２による金属異物の検知情報を本体制御部７０に送るようになっていてもよい。すなわち、シャッタ２８が開かれた状態にあるときには（図８参照）、検知コイル６２に電流が流れても、金属異物検知部６０から本体制御部７０に金属異物の検知情報は送られないようになる。このような運用が行われる場合にも、操作者の指に装着されている指輪等が金属異物検知部６０により金属異物として誤検知されてしまうことを抑制することができる。また、このような運用が行われる場合には、本体制御部７０または入出金部制御部７２は、金属異物検知部６０から金属異物の検知情報が送られると、第１の紙幣繰出機構２４による紙幣の繰出動作を行わず、代わりにシャッタ２８を開くようにしてもよい。このことにより、操作者は入出金部２０の内部へアクセスすることができるようになり、載置部２２に載置された紙幣からクリップ等の金属異物を取り出すことができるようになる。
【００５３】
次に、図１に示す紙幣処理機１０の入出金部２０に実際に配置される金属異物検知部６０の複数の検知コイル６２の位置について図４Ａおよび図４Ｂを用いて説明する。上述したように、図４Ａは、図１に示す紙幣処理機１０の入出金部２０に実際に配置される金属異物検知部６０の複数の検知コイル６２の位置を概略的に示す斜視図であり、図４Ｂは、図４Ａに示す入出金部２０を上方から見たときの金属異物検知部６０の複数の検知コイル６２の位置を概略的に示す上面図である。なお、図４Ｂにおいて、金属異物検知部６０の各検知コイル６２による金属異物の検知範囲を二点鎖線で示している。
【００５４】
図４Ａに示すように、金属異物検知部６０の検知コイル６２は、載置部２２に立位状態で載置される紙幣の高さ方向（すなわち、図４Ａにおける上下方向）において少なくとも１つ、好ましくは複数（図４Ａに示す例では２つ）配置されている。載置部２２に立位状態で載置される紙幣の高さ方向において複数の検知コイル６２が設けられている場合には、操作者によって入出金部２０の載置部２２に紙幣が投入されたときに、この紙幣の高さ方向におけるどの位置にクリップ等の金属異物が混入していても複数の検知コイル６２のうち少なくとも１つの検知コイル６２により当該金属異物を検知することができるようになる。
【００５５】
また、図４Ａおよび図４Ｂに示すように、金属異物検知部６０の検知コイル６２は、載置部２２に立位状態で載置される紙幣の幅方向（すなわち、図４Ａおよび図４Ｂにおける左右方向）において少なくとも１つ、好ましくは複数（図４Ａおよび図４Ｂに示す例では３つ）配置されている。載置部２２に立位状態で載置される紙幣の幅方向において複数の検知コイル６２が設けられている場合には、操作者によって入出金部２０の載置部２２に紙幣が投入されたときに、この紙幣の幅方向におけるどの位置にクリップ等の金属異物が混入していても複数の検知コイル６２のうち少なくとも１つの検知コイル６２により当該金属異物を検知することができるようになる。
【００５６】
また、図４Ｂに示すように、金属異物検知部６０の検知コイル６２は、入出金部２０における、載置部２２に立位状態で載置される紙幣の側端縁に対向する側（すなわち、左右一対の側壁２１）にも設けられている。この場合には、操作者によって入出金部２０の載置部２２に紙幣が投入される際に、当該紙幣の側端縁がクリップ止めされていた場合でも、紙幣の側端縁に対向する側に設けられた検知コイル６２により当該クリップを検知することができるようになる。
【００５７】
また、図４Ｂに示すように、金属異物検知部６０の検知コイル６２は、入出金部２０における第２の紙幣繰出機構２６が設置された後壁２７ｂ側にも設けられている。この場合には、紙幣処理機１０の機体内から搬送部４０により入出金部２０に紙幣が繰り出された際に、当該紙幣にクリップ等の金属異物が含まれていた場合には後壁２７ｂ側に設けられた検知コイル６２により金属異物を検知することができる。
【００５８】
以上のような構成からなる本実施の形態の紙幣処理機１０によれば、入出金部２０に配設される金属異物検知部６０は、電流が流される励磁コイル６４と、そのコイル面が励磁コイル６４のコイル面と直交するよう配置された検知コイル６２とを有しており、入出金部２０に投入される紙幣にクリップ等の金属異物が含まれているときに検知コイル６２に電流が流れることにより当該金属異物を検知するようになっている。このような紙幣処理機１０によれば、検知コイル６２の近傍に金属異物が存在しない場合には、検知コイル６２において図２の上側の部分に発生する起電力と図２の下側の部分に発生する起電力とは大きさが同じで方向が逆になり、一方、検知コイル６２の近傍に金属異物が存在する場合には上記の２つの起電力の均衡が崩れて検知コイル６２に電流が流れることにより金属異物が検知されるようになっており、金属異物が比較的小さいときや検知コイル６２と金属異物との間の距離が比較的大きいときでも上記の２つの起電力の均衡が崩れるようになる。このため、本実施の形態による金属異物検知部６０では、図５乃至図７に示すような従来技術の金属異物検知部２００、３００と比較して、検知コイル６２と金属異物との間の距離が大きい場合や金属異物が小さい場合でも当該金属異物を検知することができるため、入出金部２０に投入される紙幣の枚数が多い場合や当該紙幣に含まれる金属異物が小さい場合でも金属異物を確実に検知することができる。
【００５９】
本実施の形態の紙幣処理機１０においては、上述したように、入出金部２０には、１または複数の紙幣が積層状態で投入される紙幣投入領域２０ａ（具体的には、左右一対の側壁２１の間かつ前壁２７ａと後壁２７ｂとの間の領域）が設けられており、金属異物検知部６０の励磁コイル６４は、入出金部２０の紙幣投入領域２０ａの周囲を巻くように配置されている。また、金属異物検知部６０の検知コイル６２は、入出金部２０における第１の紙幣繰出機構２４が設置された側に少なくとも１つ設けられている。
【００６０】
なお、この場合には、金属異物検知部６０の検知コイル６２は、載置部２２に立位状態で載置される紙幣の高さ方向において少なくとも１つ、好ましくは複数配置されていてもよい。また、金属異物検知部６０の検知コイル６２は、載置部２２に立位状態で載置される紙幣の幅方向において少なくとも１つ、好ましくは複数配置されていてもよい。また、金属異物検知部６０の検知コイル６２は、入出金部２０における、載置部２２に立位状態で載置される紙幣の側端縁に対向する側にも設けられていてもよい。
【００６１】
本実施の形態の紙幣処理機１０においては、上述したように、金属異物検知部６０は、入出金部２０への紙幣の投入時に当該紙幣に含まれている金属異物を検知するようになっていてもよい。言い換えると、検知コイル６２に電流が流れると、金属異物検知部６０から入出金部制御部７２を介して本体制御部７０に金属異物の検知情報が即座に送られるようになっていてもよい。あるいは、金属異物検知部６０は、入出金部２０に紙幣が投入されてから所定時間が経過した後に当該紙幣に含まれている金属異物を検知するようになっていてもよい。言い換えると、検知コイル６２に一旦電流が流れても、所定時間が経過した後に当該検知コイル６２に電流が流れていなければ、金属異物検知部６０から本体制御部７０に金属異物の検知情報は送られないようになっていてもよい。後者の場合には、操作者の指に装着されている指輪等が金属異物検知部６０により金属異物として誤検知されてしまうことを抑制することができる。
【００６２】
また、上述したように、金属異物検知部６０は、シャッタ２８が閉められた状態にあるときに入出金部２０内にある紙幣に含まれている金属異物を検知するようになっていてもよい。この場合でも、操作者の指に装着されている指輪等が金属異物検知部６０により金属異物として誤検知されてしまうことを抑制することができる。また、この場合には、金属異物検知部６０により金属異物が検知されるとシャッタ２８が開いて入出金部２０の内部へアクセスすることができるようになっていてもよい。
【００６３】
また、本実施の形態の紙幣処理機１０においては、上述したように、金属異物検知部６０により金属異物が検知されたときにこのことが操作表示部８０により表示されたり通信部８６により外部装置に送信されたりすることにより操作者等に対して報知が行われるようになっていてもよい。
【００６４】
〔第２の実施の形態〕
以下、図面を参照して本発明の第２の実施の形態について説明する。図１４および図１５は、本実施の形態による金属異物検知部の構成を示す図である。このうち、図１４は、本実施の形態による金属異物検知部の構成を模式的に示す斜視図であり、図１５は、図１４に示す金属異物検知部を手前側から見たときの構成の概略を示す概略構成図である。
【００６５】
本実施の形態による金属異物検知部１００は、図２や図３等に示すような第１の実施の形態による金属異物検知部６０とは異なり、検知コイル１０２および励磁コイル１０４が一体的に樹脂等の板状の絶縁体１０８に設けられており、これらの検知コイル１０２、励磁コイル１０４および板状の絶縁体１０８によって金属異物検知部１００が一つの基板内に構成されている。
【００６６】
検知コイル１０２は、銅線等の電線が矩形状に何重にも巻かれたものからなり、この検知コイル１０２のコイル面は図１４におけるＸ方向およびＹ方向からなる平面上に位置している。具体的には、検知コイル１０２は例えば電線がＺ方向において４層巻かれたものから構成されている。また、励磁コイル１０４は、検知コイル１０２の周囲で銅線等の電線が何重にも巻かれたものからなり、励磁コイル１０４のコイル面は図１４におけるＹ方向およびＺ方向からなる平面上に位置している。このように、第２の実施の形態による金属異物検知部１００では、検知コイル１０２のコイル面が励磁コイル１０４のコイル面と直交するよう検知コイル１０２および励磁コイル１０４がそれぞれ配置されている。
【００６７】
図１４および図１５に示すような構成からなる金属異物検知部１００は、図１に示すような紙幣処理機１０の入出金部２０における第１の紙幣繰出機構２４が設置された前壁２７ａに少なくとも１つ設けられている。なお、このような金属異物検知部１００は、載置部２２に立位状態で載置される紙幣の高さ方向において少なくとも１つ、好ましくは複数配置されていてもよい。また、上記の構成の金属異物検知部１００は、載置部２２に立位状態で載置される紙幣の幅方向において少なくとも１つ、好ましくは複数配置されていてもよい。また、上記の構成の金属異物検知部１００は、入出金部２０における、載置部２２に立位状態で載置される紙幣の側端縁に対向する側にも設けられていてもよい。
【００６８】
励磁コイル１０４には図示しない電源により電流が流されるようになっており、励磁コイル１０４に電流が流されると、その巻線方向と直交する方向に一様磁界が発生し、このことにより絶縁体１０８の両面で磁束１０６がそれぞれ発生するようになる。
【００６９】
検知コイル１０２は、励磁コイル１０４に電流が流されることにより発生する一様磁界に置かれているため、磁束１０６により起電力が誘導されるようになる。より詳細には、検知コイル１０２の近傍に金属異物が存在しない場合には、検知コイル１０２において図１４の奧側の部分に発生する起電力と図１４の手前側の部分に発生する起電力とは大きさが同じで方向が逆になる。このため、検知コイル１０２において図１４の奧側の部分に発生する起電力と図１４の手前側の部分に発生する起電力とは互いに打ち消し合い、検知コイル１０２には電流が流れないため検知信号が発生しない。一方、操作者により入出金部２０の載置部２２に載置された紙幣の束にクリップ等の金属異物が混じっており、金属異物検知部１００の近傍に金属異物が存在する場合には、当該金属異物には、磁束１０６によって渦電流が発生する。このため、金属異物の近傍の空間磁界は、渦電流が発生する磁界の影響を受けて、一様磁界に乱れが生じるようになる。この場合には、検知コイル１０２において図１４の奥側の部分に発生する起電力の大きさと図１４の手前側の部分に発生する起電力の大きさとが異なるようになり、検知コイル１０２に電流が流れるようになるため検知信号が発生する。このようにして、金属異物検知部１００は、検知コイル１０２に電流が流れることにより金属異物を検知するようになっている。なお、金属異物検知部１００による金属異物の検知範囲は、図１５において二点鎖線で囲った範囲内の領域となる。
【００７０】
以上のような構成からなる金属異物検知部１００は、第１の実施の形態による金属異物検知部６０と同様に、電流が流される励磁コイル１０４と、そのコイル面が励磁コイル１０４のコイル面と直交するよう配置された検知コイル１０２とを有しており、入出金部２０に投入される紙幣にクリップ等の金属異物が含まれているときに検知コイル１０２に電流が流れることにより当該金属異物を検知するようになっている。このような金属異物検知部１００によれば、検知コイル１０２の近傍に金属異物が存在しない場合には、検知コイル１０２において図１４の奥側の部分に発生する起電力の大きさと図１４の手前側の部分に発生する起電力の大きさとは大きさが同じで方向が逆になり、一方、検知コイル１０２の近傍に金属異物が存在する場合には上記の２つの起電力の均衡が崩れて検知コイル１０２に電流が流れることにより金属異物が検知されるようになっており、金属異物が比較的小さいときや検知コイル１０２と金属異物との間の距離が比較的大きいときでも上記の２つの起電力の均衡が崩れるようになる。このため、本実施の形態による金属異物検知部１００では、図５乃至図７に示すような従来技術の金属異物検知部２００、３００と比較して、検知コイル１０２と金属異物との間の距離が大きい場合や金属異物が小さい場合でも当該金属異物を検知することができるため、入出金部２０に投入される紙幣の枚数が多い場合や当該紙幣に含まれる金属異物が小さい場合でも金属異物を確実に検知することができる。また、本実施の形態では、検知コイル１０２、励磁コイル１０４および板状の絶縁体１０８により金属異物検知部１００が一つの基板内に構成されているため、入出金部２０において紙幣投入領域２０ａの周囲に励磁コイル６４を巻くような第１の実施の形態と比較して入出金部２０への金属異物検知部１００の設置が簡単となり、紙幣処理機１０の製造時やメンテナンス時等における作業負担を軽減することができる。
【００７１】
〔第３の実施の形態〕
以下、図面を参照して本発明の第３の実施の形態について説明する。図１６および図１７は、本実施の形態による紙幣処理機の構成を示す図である。このうち、図１６は、紙幣処理機の概略的な構成を示す概略構成図であり、図１７は、図１６に示す紙幣処理機における紙幣束搬送機構の構成の概略を示す側面図である。
【００７２】
本実施の形態による紙幣処理機１０ａは、図１等に示す第１の実施の形態による紙幣処理機１０と比較して、入出金部２０に紙幣束を投入するための紙幣束搬送機構１１０が設けられた点が異なるのみであり、他の構成は第１の実施の形態による紙幣処理機１０と実質的に同一となっている。本実施の形態による紙幣処理機１０ａの構成を説明するにあたり、図１等に示す第１の実施の形態による紙幣処理機１０と同一の構成部材については同一の参照符号を付してその説明を省略する。
【００７３】
本実施の形態による紙幣処理機１０ａの近傍には壁１１１が設けられており、操作者は壁１１１を挟んだ反対側から（すなわち、図１６における壁１１１の左側の領域から）紙幣処理機１０ａに対して紙幣の入金処理や出金処理を行うようになっている。具体的には、紙幣処理機１０ａの入出金部２０には、壁１１１を貫通するよう紙幣束搬送機構１１０が設置されており、壁１１１を挟んで紙幣処理機１０ａの反対側にいる操作者は、紙幣処理機１０ａに入金されるべき紙幣の束を紙幣束搬送機構１１０に投入したり、紙幣処理機１０ａから出金された紙幣の束を紙幣束搬送機構１１０から受け取ったりするようになっている。また、図１６に示すように、壁１１１にはタッチパネル等の操作表示部１１２が設けられており、当該操作表示部１１２は、紙幣処理機１０ａにおける紙幣の処理状況や在高等に係る情報を表示するとともに、操作者が操作表示部１１２により様々な指令を紙幣処理機１０ａの本体制御部７０に入力することができるようになっている。このように、本実施の形態では、操作者は壁１１１を挟んで操作表示部１１２により紙幣処理機１０ａを操作するようになり、当該操作者は紙幣処理機１０ａに直接手を触れることができなくなるため、紙幣処理機１０ａのセキュリティ性を向上させることができるようになる。
【００７４】
図１７に示すように、紙幣束搬送機構１１０は上下一対の搬送ベルト１１４、１１６を有しており、これらの搬送ベルト１１４、１１６が図１７における矢印で示す方向に循環移動するときには、操作者により紙幣束搬送機構１１０に投入された紙幣の束が一括して入出金部２０に搬送されるようになる。一方、紙幣束搬送機構１１０において搬送ベルト１１４、１１６が図１７における矢印で示す方向とは反対方向に循環移動するときには、紙幣処理機１０ａの機体内から搬送部４０により入出金部２０に繰り出された紙幣の束が一括して当該紙幣束搬送機構１１０により操作者の手元に送られるようになる。
【００７５】
また、本実施の形態では、紙幣束搬送機構１１０において、当該紙幣束搬送機構１１０により搬送される紙幣束に含まれる金属異物を検知するための金属異物検知部１２０が設けられている。具体的には、図１７に示すように、金属異物検知部１２０は、各搬送ベルト１１４、１１６に対応して上下一対となるよう配置された検知コイル１２２と、各搬送ベルト１１４、１１６による紙幣束の搬送領域を巻くよう設けられた励磁コイル１２４とを有している。ここで、各検知コイル１２２は、銅線等の電線が矩形状に何重にも巻かれたものからなり、当該検知コイル１２２のコイル面は図１７において左右方向に延びる平面上に位置している。また、励磁コイル１２４は、銅線等の電線が各搬送ベルト１１４、１１６による紙幣束の搬送領域を巻くよう設けられたものからなり、当該励磁コイル１２４のコイル面は図１７の紙面に直交する方向に延びる平面上に位置している。このように、第３の実施の形態による金属異物検知部１２０では、検知コイル１２２のコイル面が励磁コイル１２４のコイル面と直交するよう検知コイル１２２および励磁コイル１２４がそれぞれ配置されている。
【００７６】
励磁コイル１２４には図示しない電源により電流が流されるようになっており、励磁コイル１２４に電流が流されると、その巻線方向と直交する方向に一様磁界が発生し、このことにより各搬送ベルト１１４、１１６の近傍で磁束１２６がそれぞれ発生するようになる。
【００７７】
検知コイル１２２は、励磁コイル１２４に電流が流されることにより発生する一様磁界に置かれているため、磁束１２６により起電力が誘導されるようになる。より詳細には、検知コイル１２２の近傍に金属異物が存在しない場合には、検知コイル１２２において図１７の紙面の奧側の部分に発生する起電力と図１７の紙面の手前側の部分に発生する起電力とは大きさが同じで方向が逆になる。このため、検知コイル１２２において図１７の紙面の奧側の部分に発生する起電力と図１７の紙面の手前側の部分に発生する起電力とは互いに打ち消し合い、検知コイル１２２には電流が流れないため検知信号が発生しない。一方、紙幣束搬送機構１１０により搬送される紙幣束にクリップ等の金属異物が混じっており、この金属異物が混じった紙幣束が金属異物検知部１２０に接近した場合には、当該金属異物には、磁束１２６によって渦電流が発生する。このため、金属異物の近傍の空間磁界は、渦電流が発生する磁界の影響を受けて、一様磁界に乱れが生じるようになる。この場合には、検知コイル１２２において図１７の紙面の奥側の部分に発生する起電力の大きさと図１７の紙面の手前側の部分に発生する起電力の大きさとが異なるようになり、検知コイル１２２に電流が流れるようになるため検知信号が発生する。このようにして、金属異物検知部１２０は、検知コイル１２２に電流が流れることにより金属異物を検知するようになっている。
【００７８】
以上のような構成からなる金属異物検知部１２０は、第１の実施の形態による金属異物検知部６０や第２の実施の形態による金属異物検知部１００と同様に、電流が流される励磁コイル１２４と、そのコイル面が励磁コイル１２４のコイル面と直交するよう配置された検知コイル１２２とを有しており、紙幣束搬送機構１１０により搬送される紙幣束にクリップ等の金属異物が含まれているときに検知コイル１２２に電流が流れることにより当該金属異物を検知するようになっている。このような金属異物検知部１２０によれば、検知コイル１２２の近傍に金属異物が存在しない場合には、検知コイル１２２において図１７の紙面の奥側の部分に発生する起電力と図１７の紙面の手前側の部分に発生する起電力とは大きさが同じで方向が逆になり、一方、検知コイル１２２の近傍に金属異物が存在する場合には上記の２つの起電力の均衡が崩れて検知コイル１２２に電流が流れることにより金属異物が検知されるようになっており、金属異物が比較的小さいときや検知コイル１２２と金属異物との間の距離が比較的大きいときでも上記の２つの起電力の均衡が崩れるようになる。このため、本実施の形態による金属異物検知部１２０では、図５乃至図７に示すような従来技術の金属異物検知部２００、３００と比較して、検知コイル１２２と金属異物との間の距離が大きい場合や金属異物が小さい場合でも当該金属異物を検知することができるため、紙幣束搬送機構１１０により搬送される紙幣束の枚数が多い場合や当該紙幣束に含まれる金属異物が小さい場合でも金属異物を確実に検知することができる。また、本実施の形態では、紙幣束搬送機構１１０により搬送される紙幣束に含まれるクリップ等の金属異物を金属異物検知部１２０により検知するようになっており、当該金属異物検知部１２０は動いている金属異物を検知するため、載置部２２に載置された紙幣に含まれる金属異物（すなわち、静止している金属異物）を検知する場合と比較して、より高精度で正確に金属異物を検知することができるようになる。
【００７９】
なお、本実施の形態では、紙幣束搬送機構１１０において一対の搬送ベルト１１４、１１６により紙幣束を搬送するようになっているが、一対の搬送ベルト１１４、１１６により紙幣束を搬送する代わりに、紙幣束をトレイに載せて当該トレイを移動させることにより紙幣束の搬送を行うような構成となっていてもよい。このような場合でも、上記の金属異物検知部１２０と同様の構成の金属異物検知部を設けることによりトレイに載せられて移動させられる紙幣束に含まれる金属異物を検知することができるようになる。
【００８０】
なお、本発明による紙葉類処理装置は、上記の各実施の形態による紙幣処理機１０、１０ａの構成に限定されることはない。本発明による紙葉類処理装置として、紙幣以外の小切手や商品券等の紙葉類を処理するものが用いられてもよい。この場合、紙葉類を紙葉類処理装置の筐体の外部から内部に投入するための紙葉類投入部に、上記の金属異物検知部６０や金属異物検知部１００と同様の構成の金属異物検知部が設置されるようになっていてもよい。また、本発明による金属異物検知部が設置される紙葉類投入部は、必ずしもフィードローラ２４ｂ等の第１の紙幣繰出機構２４が設けられたものに限定されることはない。また、本発明による金属異物検知部を、紙葉類処理装置における紙葉類投入部（具体的には、例えば図１に示す紙幣処理機１０における入出金部２０）以外の箇所に設置してもよい。また、本発明による金属異物検知部を、硬貨の入出金処理等の様々な処理を行う硬貨処理装置における硬貨の搬送路に設置し、当該搬送路に残留する硬貨を金属異物検知部によって検知するようにしてもよい。
【符号の説明】
【００８１】
１０、１０ａ  紙幣処理機
１２    上部筐体
１４    下部筐体
２０    入出金部
２０ａ  紙幣投入領域
２１    側壁
２２    載置部
２３    底面
２３ａ  載置部材
２３ｂ  空間
２４    第１の紙幣繰出機構
２４ａ  キッカローラ
２４ｂ  フィードローラ
２４ｃ  対向ローラ
２５    異物受け部
２６    第２の紙幣繰出機構
２６ａ  キッカローラ
２６ｂ  フィードローラ
２６ｃ  対向ローラ
２７ａ  前壁
２７ｂ  後壁
２８    シャッタ
３０    ガイド部
３４    押さえ部材
３６    第１の仕切り部材
３８    第２の仕切り部材
４０、４１  搬送部
４２    識別部
４４    斜行矯正部
４６    一時保留部
４８    位置合わせ部
４９    偽券用収納部
５０    紙幣収納繰出カセット
５２    紙幣収納カセット
６０    金属異物検知部
６２    検知コイル
６４    励磁コイル
６６    磁束
７０    本体制御部
７２    入出金部制御部
８０    操作表示部
８２    記憶部
８４    印字部
８６    通信部
１００  金属異物検知部
１０２  検知コイル
１０４  励磁コイル
１０６  磁束
１０８  絶縁体
１１０  紙幣束搬送機構
１１１  壁
１１２  操作表示部
１１４、１１６  搬送ベルト
１２０  金属異物検知部
１２２  検知コイル
１２４  励磁コイル
１２６  磁束
２００  従来技術の金属異物検知部
３００  従来技術の金属異物検知部
３０２  励磁コイル
３０４  検知コイル
【図１】
0006479363.tif 000002
【図２】
0006479363.tif 000003
【図３】
0006479363.tif 000004
【図４Ａ】
0006479363.tif 000005
【図４Ｂ】
0006479363.tif 000006
【図５】
0006479363.tif 000007
【図６】
0006479363.tif 000008
【図７】
0006479363.tif 000009
【図８】
0006479363.tif 000010
【図９】
0006479363.tif 000011
【図１０】
0006479363.tif 000012
【図１１】
0006479363.tif 000013
【図１２】
0006479363.tif 000014
【図１３】
0006479363.tif 000015
【図１４】
0006479363.tif 000016
【図１５】
0006479363.tif 000017
【図１６】
0006479363.tif 000018
【図１７】
0006479363.tif 000019